(57)【要約】    【課題】      合成ダイバーシティ受信装置において、回路構成の簡素化を図る。    【解決手段】  受信部１００をメイン、受信部１０１をサブとして、サブの受信部１０１のフィルタ１１０をバイパスできるようにその前段と後段にスイッチ１０９、１１１を設ける。サブの受信部１０１のフィルタ１１０を外すことで、メインの受信部１００が受信する周波数帯の無線信号をサブの受信部１０１でも受信することが可能となり、これにより、受信周波数の異なる独立した受信装置でも合成ダイバーシティ受信を行わせるためのメインとサブの関係を作りだすことができる。合成ダイバーシティ受信を行う場合にのみ、受信部１００に対して受信部１０１のフィルタ１１０をバイパスさせることで、受信部１０１を受信部１００のサブとして用いることができる。したがって、従来よりも回路構成の簡素化が図れ、これによりコストダウン、形状の小型化及び省電力化が図れる。  【選択図】      図１
2007074155.tif 000002
【特許請求の範囲】
【請求項１】
アンテナ素子と、
前記アンテナ素子で捉えられた無線信号をフィルタリング処理するフィルタ手段と、
前記フィルタ手段でフィルタリング処理された無線信号に対し復調処理やアナログ／デジタル変換処理を含む信号処理を施してベースバンド信号に変換する受信手段と、
前記フィルタ手段の入出力端間をバイパスするバイパス手段と、
を具備する受信装置。
【請求項２】
前記アンテナ素子で捉えられた無線信号を増幅する増幅手段を具備し、
前記バイパス手段は、前記増幅手段と前記フィルタ手段の直列接続回路の入出力端間をバイパスする
請求項１に記載の受信装置。
【請求項３】
少なくとも２つの請求項１又は請求項２に記載の受信装置と、
少なくとも２つの前記受信装置夫々からのベースバンド信号にダイバーシティ合成処理を施すベースバンド処理装置と、を具備し、
少なくとも２つの前記受信装置のうち１つをメインとし、残りの少なくとも１つをサブとして、サブとなる前記受信装置の前記バイパス手段を動作させて、メインとなる前記受信装置と同じ周波数の無線信号を受信させる
合成ダイバーシティ受信装置。
【請求項４】
夫々が互いに異なる周波数帯の無線信号を受信する複数の受信装置を使用し、それらの受信装置から出力されるベースバンド信号にダイバーシティ合成処理を施す合成ダイバーシティ受信方法において、
複数の前記受信装置を少なくとも２つ１組として、各組の１つの前記受信装置をメインとし、残りの少なくとも１つをサブとして、サブの前記受信装置におけるフィルタの入出力端間をバイパスして、メインとなる前記受信装置と同じ周波数の無線信号を受信させる  合成ダイバーシティ受信方法。
【請求項５】
夫々が互いに異なる周波数帯の無線信号を受信する複数の受信装置を使用し、それらの受信装置から出力されるベースバンド信号にダイバーシティ合成処理を施す合成ダイバーシティ受信方法において、
複数の前記受信装置を少なくとも２つ１組として、各組の１つの前記受信装置をメインとし、残りの少なくとも１つをサブとして、サブの前記受信装置における増幅回路とフィルタの直列接続回路の入出力端間をバイパスして、メインとなる前記受信装置と同じ周波数の無線信号を受信させる
合成ダイバーシティ受信方法。
【発明の詳細な説明】
【技術分野】
【０００１】
本発明は、合成ダイバーシティ受信装置及び合成ダイバーシティ受信方法に関し、マルチシステム又はマルチバンド特に携帯電話を含む移動体通信端末装置、この移動体通信端末装置との間において無線通信を行う基地局装置等に用いて好適な合成ダイバーシティ受信装置及び合成ダイバーシティ受信方法に関する。
【背景技術】
【０００２】
従来、無線通信においては、伝搬路を経由する間にフェージングやマルチパス等の影響を受けて無線信号が減衰することが知られている。このフェージング等による無線信号の減衰によって起こる受信品質劣化を抑える技術として、複数の受信装置を備えて、それらの受信装置と夫々に接続されたアンテナ素子とを用いて受信した信号を合成する合成ダイバーシティ受信装置が知られている（例えば、特許文献１参照）。
【０００３】
図５は、従来のマルチシステムの合成ダイバーシティ受信装置の概略構成を示すブロック図である。この図に示す合成ダイバーシティ受信装置は、システム１のメイン受信部１０と、システム１のサブ受信部１１と、ベースバンド処理部２０と、システム２のメイン受信部２１と、システム２のサブ受信部２２とから構成される。システム１のメイン受信部１０は、アンテナ素子１２と、高周波増幅回路(ＲＦアンプ)１３と、フィルタ１４と、受信回路１５とから構成される。システム１のサブ受信部１１は、アンテナ素子１６と、ＲＦアンプ１７と、メイン受信部１０のフィルタ１４と同一特性のフィルタ１８と、受信回路１９とから構成される。システム２のメイン受信部２１とシステム２のサブ受信部２２もシステム１と同様の構成であるため説明を省略する。
【０００４】
システム１のメイン受信部１０において、アンテナ素子１２で捉えられた無線信号がＲＦアンプ１３で増幅された後、フィルタ１４を介して受信回路１５に入力される。受信回路１５は、入力された無線信号を復調処理やＡ／Ｄ(Analog/Digital)変換等の公知の信号処理を施してベースバンド信号に変換し、その結果をベースバンド処理部２０に入力する。システム１のサブ受信部１１においてもメイン受信部１０と同様の受信処理が施される。すなわち、アンテナ素子１６で捉えられた無線信号がＲＦアンプ１７で増幅された後、フィルタ１８を介して受信回路１９に入力される。受信回路１９は、入力された無線信号を復調処理やＡ／Ｄ変換等の公知の信号処理を施してベースバンド信号に変換し、その結果をベースバンド処理部２０に入力する。ベースバンド処理部２０は、システム１のメイン受信部１０とサブ受信部１１それぞれから入力されたベースバンド信号に最大比合成等の公知のダイバーシティ合成処理を施して受信信号の品質を上げる。システム２のメイン受信部２１及びサブ受信部２２においてもシステム１のメイン受信部１０及びサブ受信部１１と同様の処理が行われる。
【特許文献１】特開２０００−２８６７７０号公報
【発明の開示】
【発明が解決しようとする課題】
【０００５】
しかしながら、従来の合成ダイバーシティ受信装置においては、メインの受信部とサブの受信部の２つ或いはそれ以上を１システムごとに必要とするため、部品点数が増加し、その分コスト高になるとともに形状が大型化し、さらに消費電力が大きくなるという問題がある。
【０００６】
本発明はかかる点に鑑みてなされたものであり、回路構成の簡素化が図れる合成ダイバーシティ受信装置及び合成ダイバーシティ受信方法を提供することを目的とする。
【課題を解決するための手段】
【０００７】
（１）  受信装置において、アンテナ素子と、前記アンテナ素子で捉えられた無線信号をフィルタリング処理するフィルタ手段と、前記フィルタ手段でフィルタリング処理された無線信号に対し復調処理やアナログ／デジタル変換処理を含む信号処理を施してベースバンド信号に変換する受信手段と、前記フィルタ手段の入出力端間をバイパスするバイパス手段と、を具備する構成を採る。
【０００８】
この構成によれば、例えば受信装置を２つ用意し、一方をメイン、他方をサブとして、サブのフィルタ手段をバイパスすることで、メインの受信装置が受信する周波数帯の無線信号をサブの受信装置でも受信することが可能となり、受信周波数の異なる独立した受信装置でも合成ダイバーシティ受信を行わせるためのメインとサブの関係を作りだすことができる。なお、メインとサブの受信装置を１組とする複数組からなる従来のマルチシステムでは、１システムごとにメインの受信装置とサブの受信装置を用意することから、その分、部品点数が多くなってしまうが、本発明では、サブの受信装置を用意する必要がなく、全てメインとなる受信装置のみでよく、合成ダイバーシティ受信を行う場合にのみ受信装置のフィルタ手段をバイパスさせるだけで、その受信装置をサブとして用いることができる。したがって、従来よりも回路構成を簡素化できるので、コストダウン、形状の小型化及び省電力化が図れる。
【０００９】
（２）  上記（１）に記載の受信装置において、前記アンテナ素子で捉えられた無線信号を増幅する増幅手段を具備し、前記バイパス手段は、前記増幅手段と前記フィルタ手段の直列接続回路の入出力端間をバイパスする構成を採る。
【００１０】
この構成によれば、アンテナ素子で捉えられた無線信号を増幅する増幅手段を具備する受信装置においては、フィルタのみならず増幅手段もバイパスするので、増幅手段の周波数特性や歪特性の影響を無くすことができる。
【００１１】
（３）  合成ダイバーシティ受信装置において、少なくとも２つの上記（１）又は（２）に記載の受信装置と、少なくとも２つの前記受信装置夫々からのベースバンド信号にダイバーシティ合成処理を施すベースバンド処理装置と、を具備し、少なくとも２つの前記受信装置のうち１つをメインとし、残りの少なくと１つをサブとして、サブとなる前記受信装置の前記バイパス手段を動作させて、メインとなる前記受信装置と同じ周波数の無線信号を受信させる構成を採る。
【００１２】
この構成によれば、フィルタ手段又は増幅手段をバイパス可能な受信装置を具備することで、回路構成の簡素化が可能となり、コストダウン、形状の小型化及び省電力化が図れる。
【００１３】
（４）  夫々が互いに異なる周波数帯の無線信号を受信する複数の受信装置を使用し、それらの受信装置から出力されるベースバンド信号にダイバーシティ合成処理を施す合成ダイバーシティ受信方法において、複数の前記受信装置を少なくとも２つ１組として、各組の１つの前記受信装置をメインとし、残りの少なくとも１つをサブとして、サブの前記受信装置におけるフィルタの入出力端間をバイパスして、メインとなる前記受信装置と同じ周波数の無線信号を受信させる。
【００１４】
この方法によれば、サブの受信装置を用意する必要がなく、全てメインとなる受信装置のみでよく、合成ダイバーシティ受信を行う場合にのみ受信装置のフィルタをバイパスさせることで、その受信装置をサブの受信装置として用いることができる。したがって、合成ダイバーシティ受信装置を実現する場合、回路構成が簡素化することから、コストダウン、形状の小型化及び省電力化が図れる。
【００１５】
（５）  夫々が互いに異なる周波数帯の無線信号を受信する複数の受信装置を使用し、それらの受信装置から出力されるベースバンド信号にダイバーシティ合成処理を施す合成ダイバーシティ受信方法において、複数の前記受信装置を少なくとも２つ１組として、各組の１つの前記受信装置をメインとし、残りの少なくとも１つをサブとして、サブの前記受信装置における増幅回路とフィルタの直列接続回路の入出力端間をバイパスして、メインとなる前記受信装置と同じ周波数の無線信号を受信させる。
【００１６】
この方法によれば、サブの受信装置を用意する必要がなく、全てメインとなる受信装置のみでよく、合成ダイバーシティ受信を行う場合にのみ受信装置の増幅回路とフィルタをバイパスさせることで、その受信装置をサブの受信装置として用いることができる。したがって、合成ダイバーシティ受信装置を実現する場合、回路構成が簡素化することから、コストダウン、形状の小型化及び省電力化が図れる。さらに増幅回路もバイパスするので、増幅回路の周波数特性や歪特性の影響を無くすことができる。
【発明の効果】
【００１７】
本発明によれば、合成ダイバーシティ受信装置における回路構成の簡素化ができ、コストダウン、形状の小型化及び省電力化が図れる。
【発明を実施するための最良の形態】
【００１８】
以下、本発明の実施の形態について、図面を参照して詳細に説明する。
【００１９】
（実施の形態１）
図１は、本発明の実施の形態１に係る合成ダイバーシティ受信装置の概略構成を示すブロック図である。この図において、本実施の形態の合成ダイバーシティ受信装置は、メインとなる受信部とそのサブとなる受信部を１組とする複数組備えたマルチシステム、特に携帯電話機や無線ＬＡＮ用携帯端末装置等の移動体通信端末装置あるいはこのような移動体通信端末装置と通信を行う基地局装置に利用可能なものであり、システム１Ａの受信部（受信装置）１００と、システム２Ａの受信部（受信装置）１０１と、ベースバンド処理部（ベースバンド処理装置）１０２とを備えて構成される。
【００２０】
システム１Ａの受信部１００は、アンテナ素子１０３と、ＲＦアンプ１０４と、フィルタ１０５と、受信回路１０６とを備える。システム２Ａの受信部１０１は、アンテナ素子１０７と、ＲＦアンプ１０８と、フィルタ１１０と、受信回路１１２と、スイッチ１０９及び１１１とを備える。システム１Ａの受信部１００とシステム２Ａの受信部１０１は、それぞれ異なる周波数帯の無線信号を受信することから、フィルタ１０５とフィルタ１１０の周波数特性が異なっている。なお、本実施の形態では、説明の簡略化のために合成数を最小構成の「２」とし、本発明に直接的に関与しないアンプやフィルタ等の構成部を省略する。また、本実施の形態のＲＦアンプ、フィルタの順番は参考例であり、異なってもよい。
【００２１】
システム１Ａの受信部１００においては、アンテナ素子１０３で捉えられた無線信号がＲＦアンプ１０４で増幅された後、フィルタ１０５でフィルタリング処理されて受信回路１０６に入力される。受信回路１０６では、フィルタリング処理後の無線信号を復調処理やＡ／Ｄ変換等の公知の信号処理を施してベースバンド信号に変換し、ベースバンド処理部１０２に入力する。一方、システム２Ａの受信部１０１において、アンテナ素子１０７で捉えられた無線信号がＲＦアンプ１０８で増幅された後、スイッチ１０９及び１１１によってフィルタ１１０をバイパスして直接受信回路１１２に入力される。受信回路１１２では、入力された無線信号を復調処理やＡ／Ｄ変換等の公知の信号処理を施してベースバンド信号に変換し、ベースバンド処理部１０２に入力する。ベースバンド処理部１０２では、システム１の受信部１００とシステム２の受信部１０１夫々から入力されたベースバンド信号に最大比合成等の公知のダイバーシティ合成処理を施して合成し、受信信号の品質を上げる。
【００２２】
一方、システム２Ａでの無線信号受信時には、受信部１０１のスイッチ１０９及び１１１がフィルタ１１０をバイパスしない設定となり、フィルタ１１０を介挿した受信動作を行う。
【００２３】
このように、本実施の形態の合成ダイバーシティ受信装置よれば、システム１Ａで合成ダイバーシティを行うためにサブの受信手段を必要とせず、システム２Ａの受信部１０１のフィルタ１１０をバイパスし、システム１Ａの受信部１００が受信するのと同じ無線信号を受信させることで、システム１Ａのサブの受信手段として使用するので、ダイバーシティ合成処理による受信性能を維持しながらも回路構成の簡素化が図れ、コストダウン、形状の小型化及び省電力化が可能となる。
【００２４】
なお、システム１Ａの受信部１００にシステム１Ａのフィルタ部１０５をバイパスするスイッチを設け、システム２Ａでの無線信号受信時にシステム１Ａの受信部１００をシステム２Ａのサブの受信部として使用し、合成ダイバーシティ受信を行うようにしても良い。
【００２５】
（実施の形態２）
図２は、本発明の実施の形態２に係る合成ダイバーシティ受信装置の概略構成を示すブロック図である。この図において、本実施の形態の合成ダイバーシティ受信装置は、上述した実施の形態１の合成ダイバーシティ受信装置と同様に、メインとなる受信部とそのサブとなる受信部を１組とする複数組備えたマルチシステム、特に携帯電話機や無線ＬＡＮ用携帯端末装置等の移動体通信端末装置あるいはこのような移動体通信端末装置と通信を行う基地局装置に利用可能なものであり、上述した実施の形態１の合成ダイバーシティ受信装置と異なる点は、実施の形態１の合成ダイバーシティ受信装置が受信部１０１のフィルタ１１０のみをバイパスするに対し、本実施の形態の合成ダイバーシティ受信装置は、受信部２０１のＲＦアンプ１０８とフィルタ１１０と共にバイパスした点である。
【００２６】
すなわち、本実施の形態の合成ダイバーシティ受信装置では、システム２Ａの受信部２０１において、スイッチ１０９をアンテナ素子１０７とＲＦアンプ１０８との間に介在させており、このスイッチ１０９の可動接点ｃを固定接点ｂに切り替え、また同時にスイッチ１１１の可動接点ｃを固定接点ｂに切り替えることで、ＲＦアンプ１０８とフィルタ１１０がバイパスされる。このとき同時にスイッチ１１１の可動接点ｃが固定接点ｂに切り替えられる。システム１Ａのフィルタ１０５とシステム２Ａのフィルタ１１０は、上述した実施の形態１で説明した通り、それぞれ周波数特性が異なっている。また、フィルタ以外に、ＲＦアンプもシステム１Ａとシステム２Ａとでは周波数特性が異なっている。本実施の形態では、ＲＦアンプの周波数特性や歪特性の影響を無くすために、システム２Ａにおいて、フィルタ１１０とともにＲＦアンプ１０８もバイパスするようにしている。
【００２７】
なお、本実施の形態においても説明の簡略化のために、合成数を最小構成の「２」とし、本発明に直接的に関与しないアンプやフィルタ等の構成部を省略する。また、本実施の形態のＲＦアンプやフィルタの順番は参考例で、本発明と異なってもよい。
【００２８】
このような構成において、合成ダイバーシティ受信時には、システム１Ａの受信部１００は実施の形態１と同様に動作する。すなわち、アンテナ素子１０３で捉えられた無線信号がＲＦアンプ１０４で増幅された後、フィルタ１０５を介して受信回路１０６に入力される。受信回路１０６では、入力された無線信号を復調処理やＡ／Ｄ変換等の公知の信号処理を施してベースバンド信号に変換し、ベースバンド処理部１０２に入力する。一方、システム２Ａの受信部２０１では、スイッチ１０９の可動接点ｃが固定接点ｂに切り替わるとともに、スイッチ１１１の可動接点ｃが固定接点ｂに切り替わってＲＦアンプ１０８とフィルタ１１０がバイパスされてアンテナ素子１０７が直接受信回路１１２に接続される。これにより、アンテナ素子１０７で捉えられた無線信号即ちシステム１Ａの受信部１００が受信する無線信号と同じ無線信号がＲＦアンプ１０８及びフィルタ１１０を介することなく受信回路１１２に入力される。受信回路１１２では、アンテナ素子１０７で捉えられた無線信号をベースバンド信に変換し、ベースバンド処理部１０２に入力する。ベースバンド処理部１０２では、システム１Ａの受信部１００から入力されるベースバンド信号とシステム２Ａの受信部２１０から入力されるベースバンド信号に最大比合成等の公知のダイバーシティ合成処理を施して合成し、受信信号の品質を上げる。
【００２９】
一方、システム２Ａを単独で使用するときはスイッチ１０９の可動接点ｃが固定接点ａに切り替わるとともに、スイッチ１１１の可動接点ｃが固定接点ａに切り替わり、ＲＦアンプ１０８とフィルタ１１０がアンテナ素子１０７と受信回路１１２との間に介挿される。これにより、アンテナ素子１０７で捉えられた無線信号がＲＦアンプ１０８で増幅された後、フィルタ１１０を介して受信回路１１２に入力される。受信回路１１２では、入力された無線信号を復調処理やＡ／Ｄ変換等の公知の信号処理を施してベースバンド信号に変換し、ベースバンド処理部１０２に入力する。このように、システム２Ａを単独で使用するときは、システム２Ａの受信部２０１は、ＲＦアンプ１０８及びフィルタ１１０をバイパスせずに受信動作を行う。
【００３０】
このように、本実施の形態の合成ダイバーシティ受信装置よれば、システム１Ａで合成ダイバーシティを行うためにサブの受信手段を必要とせず、システム２Ａの受信部２０１のＲＦアンプ１０８及びフィルタ１１０をバイパスし、システム１Ａの受信部１００が受信するのと同じ無線信号を受信させることで、システム１Ａのサブの受信手段として使用するので、ダイバーシティ合成処理による受信性能を維持しながらも回路構成の簡素化が図れ、コストダウン、形状の小型化及び省電力化が可能となる。特に、上述した実施の形態１ではフィルタ１１０のみバイパスするようにしたのに対し、本実施の形態ではＲＦアンプ１０８もバイパスすることから、ＲＦアンプ１０８の周波数特性や歪特性の影響を無くすことができ、しかも省電力化が更に図れる。
【００３１】
なお、システム１Ａの受信部１００にＲＦアンプ１０４及びフィルタ１０５をバイパスするスイッチを設け、システム２Ａでの無線信号受信時にシステム１Ａの受信部１００をシステム２Ａのサブの受信部として使用し、合成ダイバーシティ受信を行うようにしても良い。
【００３２】
（実施の形態３）
図３は、本発明の実施の形態３に係る合成ダイバーシティ受信装置の概略構成を示すブロック図である。この図において、本実施の形態に係る合成ダイバーシティ受信装置は、複数の周波数帯域（バンド）を受信できるマルチバンド受信機への組み込みを可能としたものであり、バンド(Ｂ１)受信部３００と、バンド(Ｂ１)受信部３００の受信周波数帯域と異なる受信周波数帯域を持つバンド(Ｂ２)受信部３０１と、ベースバンド処理部３０２とを備えて構成される。バンド(Ｂ１)受信部３００は、アンテナ素子３０３と、ＲＦアンプ３０４と、フィルタ３０５と、受信回路３０６とを備える。バンド(Ｂ２)受信部３０１は、アンテナ素子３０７と、ＲＦアンプ３０８と、フィルタ３１０と、受信回路３１２と、スイッチ３０９及び３１１とを備える。バンド（Ｂ１）受信部３００とバンド（Ｂ２）受信部３０１は、それぞれ異なる周波数帯の無線信号を受信することから、フィルタ３０５とフィルタ３１０の周波数特性が異なっている。なお、本実施の形態では、説明の簡略化のために合成数を最小構成の「２」とし、本発明に直接的に関与しないアンプやフィルタ等の構成部を省略する。また、本実施の形態のＲＦアンプ、フィルタの順番は参考例であり、異なってもよい。
【００３３】
バンド(Ｂ１)受信部３００において、アンテナ素子３０３で捉えられた無線信号がＲＦアンプ３０４で増幅された後、フィルタ３０５を介して受信回路３０６に入力される。受信回路３０６では、入力された無線信号を復調処理やＡ／Ｄ変換等の公知の信号処理を施してベースバンド信号に変換し、ベースバンド処理部３０２に入力する。一方、バンド(Ｂ２)受信部３０１において、アンテナ素子３０７で捉えられた無線信号がＲＦアンプ３０８で増幅された後、スイッチ３０９及び３１１によってフィルタ３１０をバイパスして直接受信回路３１２に入力される。受信回路３１２では、入力された無線信号を復調処理やＡ／Ｄ変換等の公知の信号処理を施してベースバンド信号に変換し、ベースバンド処理部３０２に入力する。ベースバンド処理部３０２では、バンド(Ｂ１)受信部３００とバンド(Ｂ２)受信部３０１夫々から入力されたベースバンド信号に最大比合成等の公知のダイバーシティ合成処理を施して合成し、受信信号の品質を上げる。
【００３４】
バンド(Ｂ２)受信部３０１での無線信号の受信時には、バンド(Ｂ２)受信部３０１のスイッチ３０９及び３１１はフィルタ３１０をバイパスしない設定となり、フィルタ３１０を介挿した受信動作を行う。
【００３５】
このように、本実施の形態の合成ダイバーシティ受信装置よれば、バンド(Ｂ１)受信部３００で合成ダイバーシティを行うためにサブの受信手段を必要とせず、バンド(Ｂ２)受信部３０１においてフィルタ３１０をバイパスしてバンド(Ｂ１)受信部３００が受信するのと同じ無線信号を受信させることで、バンド(Ｂ１)受信部３００のサブの受信手段として使用するので、ダイバーシティ合成処理による受信性能を維持しながらも回路構成の簡素化が図れ、コストダウン、形状の小型化及び省電力化が可能となる。
【００３６】
なお、バンド(Ｂ１)受信部３００にフィルタ３０５をバイパスするスイッチを設け、バンド(Ｂ２)受信部３０１での無線信号受信時にバンド(Ｂ１)受信部３００をバンド(Ｂ２)受信部３０１のサブの受信装置として使用し、合成ダイバーシティ受信を行うようにしても良い。
【００３７】
（実施の形態４）
図４は、本発明の実施の形態４に係る合成ダイバーシティ受信装置の概略構成を示すブロック図である。この図において、本実施の形態の合成ダイバーシティ受信装置は、上述した実施の形態３の合成ダイバーシティ受信装置と同様に、複数の周波数帯域（バンド）を受信できるマルチバンド受信機に組み込みを可能としたものである。
【００３８】
本実施の形態の合成ダイバーシティ受信装置では、バンド(Ｂ２)受信部４０１において、ＲＦアンプ３０８とフィルタ３１０をバイパスしてアンテナ素子３０７を直接受信回路３１２に接続できるようにした点が、上述した実施の形態に係る合成ダイバーシティ受信装置と異なっている。すなわち、本実施の形態に係る合成ダイバーシティ受信装置では、バンド(Ｂ２)受信部４０１において、スイッチ３０９をアンテナ素子３０７とＲＦアンプ３０８との間に介在させており、このスイッチ３０９の可動接点ｃを固定接点ｂに切り替えることで、ＲＦアンプ３０８とフィルタ３１０がバイパスされる。このとき、同時にスイッチ３１１の可動接点ｃが固定接点ｂに切り替えられる。バンド（Ｂ１）受信部３００とバンド（Ｂ２）受信部４０１は、上述した実施の形態３で説明した通り、それぞれ周波数特性が異なっている。また、フィルタ以外に、ＲＦアンプもバンド（Ｂ１）受信部３００とバンド（Ｂ２）受信部４０１とでは周波数特性が異なっている。本実施の形態では、ＲＦアンプの周波数特性や歪特性の影響を無くすために、バンド（Ｂ２）受信部４０１において、フィルタ３１０とともにＲＦアンプ３０８もバイパスするようにしている。
【００３９】
なお、本実施の形態においても説明の簡略化のために、合成数を最小構成の「２」とし、本発明に直接的に関与しないアンプやフィルタ等の構成部を省略する。また、本実施の形態のＲＦアンプやフィルタの順番は参考例で、本発明と異なってもよい。
【００４０】
このような構成において、合成ダイバーシティ受信時にはバンド（Ｂ１）受信部３００は実施の形態３と同様に動作する。すなわち、アンテナ素子３０３で捉えられた無線信号がＲＦアンプ３０４で増幅された後、フィルタ３０５を介して受信回路３０６に入力される。受信回路３０６では、入力された無線信号を復調処理やＡ／Ｄ変換等の公知の信号処理を施してベースバンド信号に変換し、ベースバンド処理部３０２に入力する。一方、バンド（Ｂ２）受信部４０１では、スイッチ３０９の可動接点ｃが固定接点ｂに切り替わるとともに、スイッチ３１１の可動接点ｃが固定接点ｂに切り替わってＲＦアンプ３０８とフィルタ３１０がバイパスされてアンテナ素子３０７が直接受信回路３１２に接続される。これにより、アンテナ素子３０７で捉えられた無線信号即ちバンド（Ｂ１）受信部３００が受信する無線信号と同じ無線信号がＲＦアンプ３０８及びフィルタ３１０を介することなく受信回路３１２に入力される。受信回路３１２では、アンテナ素子３０７で捉えられた無線信号をベースバンド信に変換し、ベースバンド処理部３０２に入力する。ベースバンド処理部３０２では、バンド（Ｂ１）受信部３００から入力されるベースバンド信号とバンド（Ｂ２）受信部４０１から入力されるベースバンド信号に最大比合成等の公知のダイバーシティ合成処理を施して合成し、受信信号の品質を上げる。
【００４１】
一方、バンド（Ｂ２）受信部４０１を単独で使用するときは、スイッチ３０９の可動接点ｃが固定接点ａに切り替わるとともに、スイッチ３１１の可動接点ｃが固定接点ａに切り替わって、ＲＦアンプ３０８とフィルタ３１０がアンテナ素子３０７と受信回路３１２との間に介挿される。これにより、アンテナ素子３０７で捉えられた無線信号がＲＦアンプ３０８で増幅された後、フィルタ３１０を介して受信回路３１２に入力される。受信回路３１２では、入力された無線信号を復調処理やＡ／Ｄ変換等の公知の信号処理を施してベースバンド信号に変換し、ベースバンド処理部３０２に入力する。このように、バンド（Ｂ２）受信部４０１を単独で使用するときは、バンド（Ｂ２）受信部４０１は、ＲＦアンプ３０８及びフィルタ３１０をバイパスせずに受信動作を行う。
【００４２】
このように、本実施の形態の合成ダイバーシティ受信装置よれば、バンド（Ｂ１）受信部３００で合成ダイバーシティを行うためにサブの受信手段を必要とせず、バンド（Ｂ２）受信部４０１のＲＦアンプ３０８及びフィルタ３１０をバイパスし、バンド（Ｂ１）受信部３００が受信するのと同じ無線信号を受信させることで、バンド（Ｂ１）受信部３００のサブの受信手段として使用するので、ダイバーシティ合成処理による受信性能を維持しながらも回路構成の簡素化が図れ、コストダウン、形状の小型化及び省電力化が可能となる。特に、上述した実施の形態３ではフィルタ３１０のみバイパスするようにしたのに対し、本実施の形態ではＲＦアンプ３０８もバイパスすることから、ＲＦアンプ３０８の周波数特性や歪特性の影響を無くすことができ、しかも省電力化が更に図れる。
【００４３】
なお、バンド（Ｂ１）受信部３００にＲＦアンプ３０４及びフィルタ３０５をバイパスするスイッチを設け、バンド（Ｂ２）受信部４０１での無線信号受信時にバンド（Ｂ１）受信部３００をバンド（Ｂ２）受信部４０１のサブの受信部として使用し、合成ダイバーシティ受信を行うようにしても良い。
【産業上の利用可能性】
【００４４】
本発明は、マルチシステム又はマルチバンド受信機に適用して好適である。
【図面の簡単な説明】
【００４５】
【図１】本発明の実施の形態１に係る合成ダイバーシティ受信装置の概略構成を示すブロック図
【図２】本発明の実施の形態２に係る合成ダイバーシティ受信装置の概略構成を示すブロック図
【図３】本発明の実施の形態３に係る合成ダイバーシティ受信装置の概略構成を示すブロック図
【図４】本発明の実施の形態４に係る合成ダイバーシティ受信装置の概略構成を示すブロック図
【図５】従来の合成ダイバーシティ受信装置の概略構成を示すブロック図
【符号の説明】
【００４６】
１００  システム１Ａの受信部
１０１  システム２Ａの受信部
１０２、３０２  ベースバンド処理部
１０３、１０７、３０３、３０７  アンテナ素子
１０４、１０８、３０４、３０８  ＲＦアンプ
１０５、１１０、３０５、３１０  フィルタ
１０６、１１２、３０６、３１２  受信回路
１０９、１１１、３０９、３１１  スイッチ
３００  バンド（Ｂ１）受信部
３０１、４０１  バンド（Ｂ２）受信部
【図１】
2007074155.tif 000003
【図２】
2007074155.tif 000004
【図３】
2007074155.tif 000005
【図４】
2007074155.tif 000006
【図５】
2007074155.tif 000007